(57)【要約】【課題】特別な操作用画面を使用せずに、既存の電子番組表画面を利用して外部接続機器の操作を実現する。【解決手段】受信可能な放送に係る放送情報を取得する放送情報取得手段と、放送情報取得手段により取得した放送情報に関係する項目を表示するための放送情報表示信号を生成する放送情報表示信号生成手段と、接続される外部機器と通信を行う通信手段と、通信手段を介して接続された外部機器の機能を取得する外部機器機能取得手段と、を備え、放送情報表示信号生成手段は、放送情報に関係する項目と共に外部機器の機能に対応する項目が含まれた放送情報表示信号を生成する映像機器制御装置。【選択図】図４
2007243828.tif 000002
【特許請求の範囲】
【請求項１】
受信可能な放送に係る放送情報を取得する放送情報取得手段と、
前記放送情報取得手段により取得した前記放送情報に関係する項目を表示するための放送情報表示信号を生成する放送情報表示信号生成手段と、
接続される外部機器と通信を行う通信手段と、
前記通信手段を介して接続された前記外部機器の機能を取得する外部機器機能取得手段と、を備え、
前記放送情報表示信号生成手段は、前記放送情報に関係する項目と共に前記外部機器の機能に対応する項目が含まれた前記放送情報表示信号を生成する、ことを特徴とする映像機器制御装置。
【請求項２】
操作手段と、
制御手段と、をさらに備え、
前記操作手段により前記放送情報表示信号に含まれる前記外部機器の機能に対応する項目の表示部を操作するときは、前記制御手段は前記外部機器の機能に対応する項目に関連してコマンド信号を発行し、前記通信手段を介して前記外部機器に供給する、ことを特徴とする請求項１に記載の映像機器制御装置。
【請求項３】
前記外部機器機能取得手段が前記外部機器の複数の機能を取得したときは、前記放送情報表示信号生成手段は、前記放送情報に関係する項目と共に前記外部機器の複数の機能に対応する複数の項目が含まれた前記放送情報表示信号を生成する、ことを特徴とする請求項１又は２に記載の映像機器制御装置。
【請求項４】
前記外部機器機能取得手段は、前記外部機器の利用可能な機能のみを取得し、
前記放送情報表示信号生成手段は、前記放送情報に関係する項目と共に前記外部機器の利用可能な機能に対応する項目が含まれた前記放送情報表示信号を生成する、ことを特徴とする１乃至３のいずれか１項に記載の映像機器制御装置。
【請求項５】
前記放送情報表示信号生成手段は、時間に関する項目を含んで前記放送情報表示信号を生成する、ことを特徴とする請求項１乃至３のいずれか１項に記載の映像機器制御装置。
【請求項６】
前記放送情報表示信号生成手段は、前記外部機器機能取得手段で取得した機能に対応させて、前記時間に関する項目を時刻情報として含ませて前記放送情報表示信号を生成する、ことを特徴とする請求項５に記載の映像機器制御装置。
【請求項７】
前記放送情報表示信号生成手段は、前記外部機器機能取得手段で取得した機能に対応させて、前記時間に関する項目を時間情報として含ませて前記放送情報表示信号を生成する、ことを特徴とする請求項５に記載の映像機器制御装置。
【請求項８】
前記外部機器は、ＩＥＥＥ１３９４規格のデジタルインターフェースで前記通信手段を介して接続される、ことを特徴とする請求項１乃至７のいずれか１項に記載の映像機器制御装置。
【請求項９】
受信可能な放送に係る放送情報を取得する放送情報取得工程と、
前記放送情報取得工程で取得した前記放送情報に関係する項目を表示するための放送情報表示信号を生成する放送情報表示信号生成工程と、
接続される外部機器と通信を行う通信工程と、
前記通信工程において、接続された前記外部機器の機能を取得する外部機器機能取得工程と、を備え、
前記放送情報表示信号生成工程は、前記放送情報に関係する項目と共に前記外部機器の機能に対応する項目が含まれた前記放送情報表示信号を生成する、ことを特徴とする映像機器制御方法。
【請求項１０】
操作工程と、
制御工程と、をさらに備え、
前記操作工程により前記放送情報表示信号に含まれる前記外部機器の機能に対応する項目の表示部を操作するときは、前記制御工程は前記外部機器の機能に対応する項目に関連してコマンド信号を発行し、前記通信工程において前記外部機器に供給する、ことを特徴とする請求項９に記載の映像機器制御方法。
【請求項１１】
請求項９または１０に記載された映像機器制御方法の手順がプログラムコードとして記述されたコンピュータで実行可能なプログラム。
【請求項１２】
請求項１１に記載された映像機器制御方法のプログラムが記憶されたコンピュータで読取可能な記憶媒体。
【発明の詳細な説明】
【技術分野】
【０００１】
本発明は、ネットワークに接続された外部機器の機能を電子番組表に組み込んで表示可能とした映像機器制御装置、映像機器制御方法、プログラム及び記憶媒体に関する。
【背景技術】
【０００２】
最近、放送衛星（ＢＳ）や通信衛星（ＣＳ）を介してデジタル化されたテレビジョン放送、デジタルラジオ放送やデータ放送を各家庭で受信するデジタル化衛星放送や、ケーブルを利用したデジタル放送が普及している。この種のデジタル放送では、１００を超えるチャンネル数を確保することが可能である。このような多チャンネルのデジタル放送では、限られたスペースしか割けない新聞等の番組欄に全てのデジタル放送の番組表を掲載することは実質的に不可能である。そこで、最近は、放送チャンネルの一部を利用して電子番組表（ＥＰＧ：Electronic Program Guide) を伝送し、受信機側で定期的に受信して記憶し、記憶されている電子番組表を選択的に表示する方法が採用されている。さらに、この表示された電子番組表を利用して、ユーザが視聴したい番組の放送している放送局を選択したり、その番組の視聴予約や録画予約する方法が一般的となりつつある。この電子番組表と同じ様に、例えば家庭内のネットワークで相互に接続された、大きな記録容量を有するハードデイスクレコーダ等に記録されている各種の放送プログラムであるコンテンツを電子番組表の枠組みと同じように表示する。このように表示することで、使用者に分かりやすい表示を実現するものも提案されている。
【０００３】
さらに、デジタル放送を受信可能なデジタルテレビまたはデジタルテレビチューナとモニタの組み合わせ等と、ＩＥＥＥ１３９４規格のケーブル接続で接続された、たとえばデジタルビデオカメラやハードデイスクレコーダ等の記録再生機を考える。この場合、記録再生機に記録されているコンテンツは、ＩＥＥＥ１３９４の制御コマンドで制御が可能である。したがって、デジタルテレビ側またはデジタルテレビチューナ側のリモートコントローラ等の操作で、記録再生機器に記録されているユーザの希望する所望のコンテンツを視聴することも可能である。また、ＩＥＥＥ１３９４ケーブル接続で接続されたＩＥＥＥ１３９４規格の対応機器に対しては、デジタルビデオカメラの制御やカード型半導体記憶媒体へのアクセスも可能である。
【特許文献１】特開２００２−２０９１５４号公報
【特許文献２】特開２００１−１３６４５４号公報
【発明の開示】
【発明が解決しようとする課題】
【０００４】
図２は、ＩＥＥＥ１３９４規格のケーブルで接続された外部機器を示す。ここで、現在知られているＩＥＥＥ１３９４規格のケーブルで接続された外部機器の制御においては、巻き戻しボタン２０１、再生ボタン２０２、早送りボタン２０３、停止ボタン２０４および一時停止ボタン２０５の対応した制御が行えるだけである。この場合、例えば、デジタルテレビのリモートコントローラなどによるユーザ操作に応じて、デジタルビデオカメラに各種制御コマンドを発行する必要があり、操作が煩雑であった。そこで本発明は、特別な操作用画面を使用せずに、既存の電子番組表画面を利用して外部接続機器の操作を実現することを目的とする。
【課題を解決するための手段】
【０００５】
本発明の実施形態においては、受信可能な放送に係る放送情報を取得する放送情報取得手段と、前記放送情報取得手段で取得した前記放送情報に関係する項目を表示するための放送情報表示信号を生成する放送情報表示信号生成手段と、接続される外部機器と通信を行う通信手段と、前記通信手段を介して接続された前記外部機器の機能を取得する外部機器機能取得手段と、を備え、前記放送情報表示信号生成手段は、前記放送情報に関係する項目と共に前記外部機器の機能に対応する項目が含まれた前記放送情報表示信号を生成することを特徴とする映像機器制御装置を提供する。
【０００６】
本発明の他の実施形態においては、受信可能な放送に係る放送情報を取得する放送情報取得工程と、前記放送情報取得工程で取得した前記放送情報に関係する項目を表示するための放送情報表示信号を生成する放送情報表示信号生成工程と、接続される外部機器と通信を行う通信工程と、前記通信工程において、接続された前記外部機器の機能を取得する外部機器機能取得工程と、を備え、前記放送情報表示信号生成工程は、前記放送情報に関係する項目と共に前記外部機器の機能に対応する項目が含まれた前記放送情報表示信号を生成することを特徴とする映像機器制御方法を提供する。
【０００７】
本発明のさらに他の実施形態においては、前記の実施形態における映像機器制御方法の手順がプログラムコードとして記述されたコンピュータで実行可能なプログラムを提供する。
【０００８】
本発明のさらに他の実施形態においては、前記の実施形態における映像機器制御方法のプログラムが記録されたコンピュータで読取可能な記憶媒体を提供する。
【発明の効果】
【０００９】
本発明によれば、特別な操作用画面を使用せずに、既存の電子番組表の画面を利用して外部接続機器の操作を実現することが可能となる。
【発明を実施するための最良の形態】
【００１０】
＜実施形態１＞
本発明の好ましい実施形態の１例について、図を参照しながら説明する。図１において、１０１はＩＥＥＥ１３９４規格のケーブル接続が可能に構成された録画再生機能付デジタルビデオカメラ、１０２はＩＥＥＥ１３９４ケーブルである。また、１０３はＩＥＥＥ１３９４ケーブルが接続可能に構成されたデジタルテレビであり、デジタルビデオカメラ１０１はこのデジタルテレビ１０３からみて外部機器となる。すなわち、図１に示すように、ＩＥＥＥ１３９４ケーブル１０２でデジタルテレビ１０３とデジタルビデオカメラ１０１が接続される。このように接続されたデジタルビデオカメラ１０１は、デジタルテレビ１０３の表示画面１０４上のＧＵＩ(Graphic User Interface) によりＩＥＥＥ１３９４規格で定められた各種の制御コマンドによって各種の動作を行うことができる。
【００１１】
たとえば、図２に示すような操作ボタンのアイコンが表示され、そのアイコンをリモートコントローラ１０５を用いてクリックする。すると、再生動作を指示するコマンドがデジタルビデオカメラ１０１に送られ、デジタルビデオカメラ１０１はその再生コマンドを受けて再生動作の制御がなされる。そしてＩＥＥＥ１３９４ケーブルを通じて、再生されたデジタル映像信号をＩＥＥＥ１３９４規格で定められたフォーマットに従ってアイソクロナスデータとしてデジタルテレビ１０３側へ出力する。
【００１２】
以下、本発明の第１の実施形態による映像機器制御装置を順次説明する。図３は本発明に用いて好適な第１の実施形態の映像機器制御装置におけるブロック構成図である。放送受信回路３０1は、ＴＶアンテナ、またはケーブルからのデジタルテレビ放送波を受信し、音声情報は音声再生回路３０２へ供給し、映像情報は映像再生回路３０４へ供給する。また、デジタルテレビ放送波には電子番組表情報が重畳されており、放送受信回路３０1で抜き出された電子番組表情報を電子番組表制御回路３０７へ供給する。なお、放送受信回路３０1にて受信するデジタル放送は、地上波デジタル放送、放送衛星デジタル（ＢＳデジタル）放送、通信衛星デジタル（ＣＳデジタル）放送、有線デジタル放送波等があるが、どの放送波を用いても本発明は実施可能である。
【００１３】
また、本実施形態では、ＩＥＥＥ１３９４規格のケーブル接続での説明であるが、必ずしも、ＩＥＥＥ１３９４規格にこだわることはなく、同様なコマンドが規格に含まれるものであれば、規格の種類は問わない。また、可能であれば、無線接続でネットワークを構築することも考えられる。しかしながら、ここの説明においては、ＩＥＥＥ１３９４規格のケーブル接続を１例として説明する。
【００１４】
また、地上波アナログ放送においても特定の放送局が電子番組表を配信しており、したがって、本発明は地上波アナログ放送における電子番組表を利用して実施することが可能である。本実施形態の説明においては、デジタル放送の電子番組表に関連させて説明するが、本発明はデジタル放送の電子番組表を限定されるものではなく、地上波アナログ放送における電子番組表にも適用できるものである。
【００１５】
図３に戻り説明を続けると、音声再生回路３０２は放送受信回路３０1から供給される音声情報を音声信号に変換し、スピーカ３０３から出力する。映像再生回路３０４は放送受信回路３０1、もしくは通信回路３０９から供給される映像情報から再生映像信号を生成し、映像信号合成回路３０５へ供給する。制御回路３０８はユーザからの機器操作、もしくはリモートコントローラ１０５による操作に応じた操作情報を操作信号生成回路３１０から受け取り、電子番組表制御回路３０７へ供給する。通信回路３０９は、ＩＥＥＥ１３９４規格に対応しており、ＩＥＥＥ１３９４ケーブル１０２を介して接続されているデジタルビデオカメラ１０１等の外部機器の機能取得のためのステータスコマンドや、外部機器制御のためのコントロールコマンドの発行を行う。
【００１６】
電子番組表制御回路３０７は、通信回路３０９にＩＥＥＥ１３９４ケーブル１０２を介して接続されている外部機器の機能に応じて追加すべき電子番組表項目を判別し、放送受信回路３０1から取得した電子番組表情報と組み合わせて電子番組表画面を生成する。映像信号合成回路３０５は、映像再生回路３０４から供給される再生映像と、電子番組表制御回路３０７で生成される電子番組表画面を合成し、表示部３０６にて表示する。また通信回路３０９で受信した映像情報は映像再生回路３０４へ供給されて映像信号として最終的に表示部３０６の表示画面１０４にて表示される。ここの説明では、デジタルテレビ１０３の本体に表示部３０６が一体化されている例を示すが、いわゆるチューナとモニタとの組み合わせで構成されていてもよい。
【００１７】
次に、電子番組表画面について説明する。電子番組表は、デジタルテレビ１０３本体、もしくはリモートコントローラ１０５に設けられた上下左右の選択が可能な「カーソルボタン」と意思決定用の「決定ボタン」および電子番組表から放送の視聴画面へ復帰するための「戻りボタン」で制御できる。
【００１８】
図５は、デジタル放送波に重複されている電子番組表情報から生成される電子番組表画面の１例である。文字列「時刻」５０１は時間軸情報の意味であり、文字列「時刻」５０１の下部に表示されている時間軸表示部５０２が時刻情報の表示であることを表現している。電子番組表画面にはたとえば特定のチャンネルの特定時刻の番組が選択されていることをユーザに認知させるために、その部分を太線で囲ったり、表示の状態を他の部分とは異なるようにするフォーカス表示機能がある。
【００１９】
すなわち、チャンネル名表示部５０３、５０４、５０５やこれらのチャンネル名表示部の下に配置されている番組内容表示部５０６に対して、上記で説明したリモートコントローラ１０５の「カーソルボタン」でフォーカス表示位置を移動できる。チャンネル名表示部５０３、５０４、５０５もしくは番組内容表示部５０６にフォーカス表示がなされている状態で「戻りボタン」を押下する。すると、選択されている放送チャンネルが電子番組表制御回路３０７から放送受信回路３０1へ通知される。そして、選択された放送チャンネルの映像情報および音声情報が、映像再生回路３０４と音声再生回路３０２へそれぞれ供給されるようになり、ユーザは選択された放送チャンネルの映像と音声を視聴することができる。
【００２０】
また、番組内容表示部５０６は各放送チャンネルの表示されている時刻に応じた番組の内容が表示されており、リモートコントローラ１０５の「決定ボタン」を押下することで視聴予約ができる。たとえば、番組内容表示部５０６にフォーカス表示がなされている状態でリモートコントローラ１０５の「決定ボタン」を押下すると、午前１１時から１２時まで、チャンネル７を視聴予約することになる。したがって、午前１１時になったら、放送受信回路３０1で受信する放送チャンネルが自動的にチャンネル７に切り替わる。
【００２１】
また、チャンネル７にフォーカス表示がなされている状態でリモートコントローラ１０５の「カーソルボタン」で右移動を指示すると、表示中の項目が１項目もしくは表示中の項目全てが左へシフトし、表示しきれずに隠れていた放送チャンネルを表示する。それにより、１画面内に表示し切れていない分の放送チャンネルの電子番組表示を可能とする。同様に、画面内の番組内容の最下部にフォーカス表示がなされている状態でリモートコントローラ１０５の「カーソルボタン」で下移動を指示すると、次なる時刻帯の番組を表示することができる。
【００２２】
次に、本発明の実施形態における電子番組表画面の生成処理の流れを図４に示すフローチャートを用いて説明する。ユーザによるリモートコントローラ１０５の操作で、電子番組表の表示が指示された場合に、ステップＳ４０１の電子番組表画面生成の処理が始まる。電子番組表画面生成の処理の開始後、まず、ステップＳ４０２で、放送受信回路３０1を通じて電子番組表情報を取得する。このとき、電子番組表情報は放送受信回路３０1を通じて取得しても、また前もって放送受信回路３０1で取得されて電子番組表制御回路３０７に蓄積されている電子番組表情報を用いても良い。
【００２３】
次に、ステップＳ４０３で、通信回路３０９にＩＥＥＥ１３９４ケーブル１０２を介して外部機器が接続されているかどうかを確認する。もし、ＩＥＥＥ１３９４ケーブル１０２を介して外部機器が接続されていない場合は、ステップＳ４０８へ進み、ステップＳ４０２で取得済みの電子番組表情報に従って電子番組表画面を生成する。しかし、ステップＳ４０３で、通信回路３０９にＩＥＥＥ１３９４ケーブル１０２を介して外部機器が接続されていた場合はステップＳ４０４に進む。そして、ＩＥＥＥ１３９４ケーブル１０２を介して接続された外部機器（図１の場合は、デジタルビデオカメラ１０１）がサポートしている機能を取得する。例えば、ＩＥＥＥ１３９４規格の「SUBUNIT INFO status command」を用いて調べる。
【００２４】
つまり、デジタルテレビ１０３の制御回路３０８がサポートしている機能が「Tape recorder/player subunit」と「Camera subunit」と「Camera Storage subunit」に対応している場合は、「SUBUNIT INFO status command」のレスポンスに上記した subunit の ID が含まれる。次にステップＳ４０５に進み、前記の「SUBUNIT INFO status command」のレスポンスに利用可能な機能が含まれているかを確認する。
【００２５】
本実施形態の映像機器制御装置であるデジタルテレビ１０３が、前記のレスポンスに含まれる機能の一つ以上をサポートしている場合は電子番組表制御回路３０７に通知し、ステップＳ４０６で電子番組表に外部接続機器の機能の項目を追加する。そしてステップＳ４０７に進み、他にＩＥＥＥ１３９４ケーブル１０２を介して接続された未検出の外部接続機器がないかを確認する。
【００２６】
たとえば、デジタルビデオカメラ１０１の有する機能として、テープ記録再生機能、カメラ機能、静止画記録再生機能等を有する。通常、動画の記録再生には磁気テープ、静止画の記録再生には半導体メモリを使用する。最近では、記録型ＤＶＤ(Digital Versatile Disk)やＨＤＤ等を使用する機種も出回っており、これらを外部機器としても本発明は適用可能である。またステップＳ４０５で、前記のレスポンスに含まれる機能をサポートしていない場合は、電子番組表に項目を追加せずにステップＳ４０７に進み、他にＩＥＥＥ１３９４ケーブル１０２を介して接続された未検出の外部接続機器がないかを確認する。未確認の外部接続機器が検出された場合は、ステップＳ４０４に戻り、今検出された未確認の外部接続機器がサポートしている機能の取得を行う。かくして、全ての外部接続機器の機能を取得し、電子番組表に追加する項目が決定したらステップＳ４０８に進み、電子番組表制御回路３０７にて電子番組表画面を生成する。
【００２７】
上記の図４に示したフローチャートに記載された手順によって生成される電子番組表画面を、たとえば１例として図６に示す。図５の電子番組表画面と同じ部分は同じ番号を使用し、その詳細な説明を割愛する。ＩＥＥＥ１３９４ケーブル１０２を介して接続された外部機器のチャンネル名表示部６０１には、外部接続機器名と利用するモードが表示される。その際、外部接続機器の利用できる機能も表示されており、たとえば、「-VCR-」は、たとえば、図１、２のデジタルビデオカメラ１０１の機種名ＳＬＤ５１の有するテープ記録再生装置の機能を意味する。
【００２８】
ユーザが図６に示す電子番組表画面を操作する場合は、デジタルテレビ１０３本体もしくはリモートコントローラ１０５の機器制御と放送番組との切り替え用の「切り替えボタン」の押下げ操作を行う。これにより、放送用番組表示部と外部機器制御表示部の間でフォーカス表示位置を切り替えることができる。外部機器制御表示部でも放送用番組表示部と同様に、デジタルテレビ１０３本体もしくはリモートコントローラ１０５の「カーソルボタン」と意思決定用の「決定ボタン」、および番組表画面から放送視聴画面へ復帰する「戻りボタン」で制御できる。
【００２９】
フォーカス表示位置がチャンネル名表示部５０３にあり、チャンネル５が選択状態にある図６に示された状態で、機器制御／放送切り替え用の「切り替えボタン」を押下する。すると、図７に示すようにフォーカス表示位置が機器制御表示部へ移り、外部機器制御表示部６０１へフォーカス表示位置が移動する。さらに、図６の時間軸表示部５０２と時間軸の意味の文字列「時刻」５０１の表示が消え、外部機器の利用する機能に応じた時間表示に切り替わる。
【００３０】
図７の例では、時間軸情報が再生時間を意味する文字列「再生時間」６０２となり、時間軸の表示として外部機器１０１に装填されている磁気テープに記録されている全コンテンツのトータルの再生時間表示部６０３が縦軸となる。さらに現在の磁気テープ再生位置若しくは磁気テープの現在位置を示す位置マーカ６０４を表示する。このときの時間軸の最大値は、磁気テープに記録されている全コンテンツの全再生時間としても、未記録部も含めた磁気テープの長さから換算した時間としてもよい。
【００３１】
外部機器１０１の外部機器制御表示部６０１がフォーカス表示位置となっている状態でリモートコントローラ１０５の「カーソルボタン」で下を指示すると、位置マーカ６０４にフォーカス表示位置が移動し、その磁気テープの現在位置を変更することができる。このとき、電子番組表制御回路３０７から再生開始位置が変更されたことが制御回路３０８へ通知される。すると、制御回路３０８は通信回路３０９を通じて対象となる外部機器１０１へ再生位置を変更するコマンドを発行し、外部機器１０１の磁気テープの再生位置を制御する。すなわち、外部接続機器１０１に早送りまたは巻き戻し動作をさせて指示されたテープ位置にされる。そして再度リモートコントローラ１０５の「決定ボタン」を押すと位置マーカ６０４からフォーカス表示位置をもとの外部機器制御表示部６０１にもどすことができる。
【００３２】
また、外部機器１０１の外部機器制御表示部６０１がフォーカス表示位置となっている状態でリモートコントローラ１０５の「戻りボタン」が押下された場合を考える。この場合には、外部機器１０１の再生チャンネルが選択されたことが電子番組表制御回路３０７から制御回路３０８へ通知される。そして、制御回路３０８によって、通信回路３０９を通じて対象となる外部機器１０１へ再生コマンドを発行する。同時に、映像再生回路３０４と通信回路３０９を制御し、通信回路３０９から入力されてくる映像情報から映像再生回路３０４にて再生映像信号を生成する。
【００３３】
外部機器１０１の外部機器制御表示部６０１がフォーカス表示位置となっている状態でリモートコントローラ１０５の「決定ボタン」を押下することで、使用する機能を変更することができる。これらの使用する機能は、電子番組表画面を作成する際に、図４のステップＳ４０４で外部機器１０１のサポート機能を取得し、さらにステップＳ４０５で利用可能な機能と判断された機能が対象となる。
【００３４】
本発明の実施形態においては、図８に示すように表示状態が変化し、外部機器制御表示部６０１は同じだが、時間軸情報が再生時刻を意味する文字列「時刻」６０６になり、時間軸の表示として、現在時刻から始まる再生時刻表示部６０７が縦軸となる。さらに、外部機器１０１の磁気テープを再生した場合の再生時間だけの余裕幅を持たせた再生予約時刻表示部６０８が表示される。
【００３５】
外部機器１０１の外部機器制御表示部６０１がフォーカス表示位置となっている状態で「カーソルボタン」で下を指示すると、再生予約時刻表示部６０８にフォーカス表示位置が移動する。その状態で「決定ボタン」を押し、「カーソルボタン」で上下を指示することで、再生予約表示部６０８の位置を変更することができる。再度「決定ボタン」を押すと再生予約表示部６０８からフォーカス表示位置を移動し、もとの外部機器制御表示部６０１に戻すことができる。
【００３６】
この状態で再生予約時刻表示部６０８に設定した時刻になると、制御回路３０８によって、通信回路３０９を通じて対象となる外部接続機器１０１へ再生コマンドを発行する。同時に、映像再生回路３０４と通信回路３０９を制御し、ＩＥＥＥ１３９４ケーブル１０２を介して通信回路３０９から入力されてくる映像情報から映像再生回路３０４にて再生映像信号を生成する。
【００３７】
さらに図９を用いて、この他に外部機器１０１の外部機器制御表示部６０１がフォーカス表示位置となっている状態で「決定ボタン」を押下することで利用できる機能について説明する。図９の（ａ）は外部接続機器であるデジタルビデオカメラ１０１のカメラ機能を利用する場合の電子番組表画面の外部機器１０１の表示内容である。時間情報は時刻を意味する文字列「時刻」７０１となり、縦軸には時刻表示部７０２が表示される。カメラ機能では、撮影間隔、撮影期間、出力先等を指定し、カメラ映像を指定された等間隔で、指定期間だけ、指定された出力先へ出力する。
【００３８】
図９の（ａ）では、１０分間隔で１０秒間カメラ映像を、デジタルテレビ１０３の表示画面１０４に表示される子画面に表示する指定である。指定の時刻になると、電子番組表制御回路３０７から制御回路３０８へ、外部機器１０１からの映像の子画面での表示通知が発行され、制御回路３０８は映像再生回路３０４と通信回路３０９を制御し、外部機器１０１の映像を表示画面１０４の子画面に再生する。すなわち、この外部機器１０１の映像と、放送チャンネルの映像を映像信号合成回路３０５にて子画面の画像として合成することで、外部機器１０１の映像を表示画面１０４の子画面内で表示することができる。
【００３９】
このほかにも、通信回路３０９経由で構築されているＩＥＥＥネットワーク内のプリンタ等を出力先に指定することで、定期的な画像の印刷動作なども制御可能である。
【００４０】
図９（ｂ）は静止画記録再生機能を利用する場合の電子番組表画面の外部機器１０１の表示内容である。時間情報は再生時間を意味する文字列「再生時間」７０４となり、縦軸には、１時間の再生時間と、目安として１０分ごとの目盛りを有する再生時間表示部７０５が表示される。
【００４１】
静止画記録再生機能では、スライドショーの機能が利用でき、半導体記憶回路で構成されるメモリカードに記録されている静止画枚数と、一枚あたりの表示時間から再生時間を計算して表示している。すなわち、図９（ｂ）の状態で「戻りボタン」を押された場合には、電子番組表制御回路３０７から制御回路３０８へスライドショー通知が発行される。すると制御回路３０８は指定の間隔で、通信回路３０９を介し外部機器１０１の半導体記憶メモリに記録されている静止画を取得するコマンドを発行する。かくしてＩＥＥＥ１３９４ケーブル１０２を介して取得した静止画は、通信回路３０９を介して映像再生回路３０４で映像信号とされ、表示部３０６にて表示される。
【００４２】
上記の方法のように、電子番組表画面から利用する外部機器１０１の機能を変更する場合、電子番組表制御回路３０７からの通知を制御回路３０８が受け取り、通信回路３０９を介して外部機器１０１を所望の機能が利用できる状態へ変更する。これにより、外部機器１０１を電子番組表画面内から直感的に操作することができるので、外部機器１０１により提供される機能を放送されている番組のひとつのように扱える。
【００４３】
＜実施形態２＞
以下、本発明の第２の実施の形態を紹介する。本実施形態に用いて好適な映像機器制御装置の構成図は図３と同等である。本実施形態における電子番組表画面生成の処理の流れを図１０のフローチャートを用いて説明する。
【００４４】
図４のフローチャートと同様に、ユーザによるリモートコントローラ１０５の操作で、電子番組表の表示が指示された場合に、ステップＳ１００１の電子番組表画面生成の処理が始まる。電子番組表画面生成の処理の開始後、まず、ステップＳ１００２で放送受信回路３０1を通じて電子番組表情報を取得する。このとき、電子番組表情報は放送受信回路３０1を通じて取得しても、また前もって放送受信回路３０1で取得されて電子番組表制御回路３０７に蓄積されている電子番組表情報を用いても良いことは、図４の実施形態１と同じである。
【００４５】
次に、ステップＳ１００３で、通信回路３０９に外部機器が接続されているかどうかを確認する。もし、ＩＥＥＥ１３９４ケーブル１０２を介して外部機器が接続されていない場合はステップＳ１００９へ進み、ステップＳ１００２で取得済みの電子番組表情報に従って電子番組表画面を生成する。しかし、ステップＳ１００３で、通信回路３０９に外部機器が接続されていた場合はステップＳ１００４に進み、ＩＥＥＥ１３９４ケーブル１０２を介して接続された外部機器（図１の場合は、デジタルビデオカメラ１０１）がサポートしている機能を取得する。例えば、ＩＥＥＥ１３９４規格の「SUBUNIT INFO status command」を用いて調べる。次に、ステップＳ１００５に進み、外部機器１０１が有する機能のうちで、デジタルテレビ１０３が利用可能な機能を全て調べる。そして、ステップＳ１００６に進み、利用可能な全ての機能を取得する。そして、ステップＳ１００７においては、ステップＳ１００６で取得した全ての機能の項目を電子番組表に追加する。また、ステップＳ１００８では、他にＩＥＥＥ１３９４ケーブル１０２を介して接続された未検出の外部接続機器がないかを確認する。
【００４６】
未確認の外部接続機器が検出された場合は、ステップＳ１００４に戻り、今検出された未確認の外部接続機器がサポートしている機能の取得を行う。かくして、全ての外部接続機器１０１が有している利用できる全ての機能を取得し、電子番組表に追加する項目が決定したらステップＳ１００９に進み、電子番組表制御回路３０７にて電子番組表画面を生成する。
【００４７】
図１１は以上の処理によって生成された電子番組表画面の１例である。基本的に放送用の電子番組表部分は図５に示した電子番組表と同等である。しかし、図１１の電子番組表では、前記のステップＳ１００６の利用可能な全ての機能の取得に応じて電子番組表の項目が追加される。すなわち、９０１、９０２に示すテープ記録再生機能、９０３で示すカメラ機能、９０４で示す静止画記録再生機能などが、外部機器１００を１つのチャンネルとして表示画面１０４の電子番組表画面に表示される。このとき、図示しないリモートコントローラ１０５の「選択ボタン」で外部機器１０１の項目をたとえば、９０１から９０２に変更すると、時間軸の文字列「再生時間」９０５と時間情報表示部９０６が各機能に応じた表示に切り替わる。同時に、電子番組表制御回路３０７からの機能の選択の通知を制御回路３０８が受け取り、通信回路３０９を介して外部機器１０１の所望の機能が利用できる状態へ変更するコマンドを発行する。各機能における操作や動作は、実施形態１及び実施形態２と同等である。
【００４８】
以上により、ＩＥＥＥ１３９４ケーブル１０２を介して接続された外部機器１０１が提供する機能を表示画面１０４の電子番組表画面の一つのチャンネルとして表現できる。そして、外部機器１０１により提供される機能を、あたかも放送されている番組のひとつのように扱える。
【００４９】
＜実施形態３＞
以下、本発明の第３の実施形態を説明する。本実施形態における映像機器制御装置の構成ブロック図に関しても図３と同等である。さらに、本実施形態における電子番組表画面生成の処理のフローチャートは図４と同等である。
【００５０】
以上の処理によって第一の実施の形態で説明した方法で、機能別に図１２に示すような操作を行い、各機能における設定を済ませた後にリモートコントローラ１０５の「切り替えボタン」を押下すると、図１３に示すように３つの機能が一体化されて表示される。つまり、外部機器のチャンネル名表示部１１０１は機器名（ＳＬＤ５１）になり、時間情報の文字列は「時刻」１１０２となり、時間軸は、１１０３で示すように時刻を表す。さらに、各機能において設定された操作と時刻に応じて順に並べられる。この状態でリモートコントローラ１０５の「戻りボタン」を押すと、指定された時刻に制御回路３０８は通信回路３０９を介して外部機器１０１の状態の変更、及び機能のコントロールを行うコマンドを発行する。発行されたコマンドは外部機器１０１に供給され、外部機器１０１で所望の機能が実行される。
【００５１】
また、本発明の目的は、前述した実施形態の機能を実現するソフトウェアのプログラムコードを記録した記憶媒体を、システムあるいは装置に供給する。そして、そのシステムあるいは装置のコンピュータ（またはＣＰＵやＭＰＵ）が記憶媒体に格納されたプログラムコードを読出し実行することによっても、達成されることは言うまでもない。
【００５２】
この場合、記憶媒体から読出されたプログラムコード自体が前述した実施形態の機能を実現することになり、そのプログラムコードを記憶した記憶媒体は本発明を構成することになる。
【００５３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、半導体による不揮発性のメモリカード、ＲＯＭなどを用いることができる。
【００５４】
また、コンピュータが読出したプログラムコードを実行することにより、前述した実施形態の機能が実現される。さらに、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５５】
さらに、記憶媒体から読出されたプログラムコードが、コンピュータに挿入された機能拡張ボードやコンピュータに接続された機能拡張ユニットに備わるメモリに書込まれる。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５６】
【図１】本発明の実施形態におけるデジタルビデオカメラとデジタルテレビの接続例を示す図である。
【図２】デジタルテレビからデジタルビデオカメラの再生をコントロールする操作ボタンの表示例を示す図である。
【図３】本発明の実施形態におけるデジタルビデオカメラとデジタルテレビのブロック構成図を示す図である。
【図４】本発明の実施形態１における電子番組表画面生成処理のフローチャートを示す図である。
【図５】放送の電子番組表画面の１例を示す図である。
【図６】本発明の実施形態における外部機器の機能を含む電子番組表画面の１例を示す図である。
【図７】本発明の実施形態における外部機器の機能を含む電子番組表画面において、外部機器の機能が選択された状態の１例を示す図である。
【図８】本発明の実施形態における外部機器の機能を含む電子番組表画面において、再生時間が選択された状態の１例を示す図である。
【図９】本発明の実施形態における外部機器の機能を含む電子番組表画面において、外部カメラ機能を利用する場合の電子番組表画面の１例を示す図である。
【図１０】本発明の実施形態２における電子番組表画面生成処理のフローチャートを示す図である。
【図１１】外部機器の複数の機能を並列表示する電子番組表画面の１例を示す図である。
【図１２】外部機器の機能別の設定内容を示す図である。
【図１３】本発明の実施形態３における図１２の外部機器の複数の機能を合体して表示した電子番組表画面の１例を示す図である。
【符号の説明】
【００５７】
１０１  デジタルビデオカメラ
１０２  ＩＥＥＥ１３９４ケーブル
１０３  デジタルテレビ
１０５  リモートコントローラ
３０１  放送受信回路
３０６  表示部
３０７  電子番組表制御回路
３０８  制御回路
３０９  通信回路
３１０  操作信号生成回路
【図１】
2007243828.tif 000003
【図２】
2007243828.tif 000004
【図３】
2007243828.tif 000005
【図４】
2007243828.tif 000006
【図５】
2007243828.tif 000007
【図６】
2007243828.tif 000008
【図７】
2007243828.tif 000009
【図８】
2007243828.tif 000010
【図９】
2007243828.tif 000011
【図１０】
2007243828.tif 000012
【図１１】
2007243828.tif 000013
【図１２】
2007243828.tif 000014
【図１３】
2007243828.tif 000015